(57)【要約】【課題】無線接続の自動化に伴う利便性及び安全性を向上させることができる投影装置、投影システム及び無線接続方法を提供する。【解決手段】第１投影画像データを取得する映像端子１１６と、第１周期で点滅する光源１１４と、光源１１４の点灯に基づいて、第１投影画像データに基づく第１投影画像を投影部に投影させるとともに、無線接続を確立するための無線接続情報を符号化した符号化情報を第１周期よりも長い第２周期毎に第１周期に基づく時間、投影部に投影させる投影制御部と、投影された符号化情報を撮像して復号した端末装置からの無線接続情報に基づく無線接続要求に基づいて、端末装置との無線接続を確立する確立部と、を備える。【選択図】図２
2015158596.tif 000002
【特許請求の範囲】
【請求項１】
第１投影画像データを取得する第１取得部と、
第１周期で点滅する光源と、
前記光源の点灯に基づいて、前記第１投影画像データに基づく第１投影画像を投影部に投影させるとともに、無線接続を確立するための無線接続情報を符号化した符号化情報を前記第１周期よりも長い第２周期毎に前記第１周期に基づく時間、前記投影部に投影させる投影制御部と、
投影された前記符号化情報を撮像して復号した端末装置からの前記無線接続情報に基づく無線接続要求に基づいて、前記端末装置との無線接続を確立する確立部と、
を備える投影装置。
【請求項２】
前記第１投影画像データから前記第１投影画像を生成するとともに、前記符号化情報を表す符号化情報画像を生成する生成部を更に備え、
前記投影制御部は、前記光源の点灯に基づいて、前記第１投影画像を前記投影部に投影させるとともに、前記符号化情報画像を前記第２周期毎に前記第１周期に基づく時間、前記投影部に投影させる請求項１に記載の投影装置。
【請求項３】
前記符号化情報は、前記符号化情報画像の所定領域で表される請求項２に記載の投影装置。
【請求項４】
前記第１投影画像データから前記第１投影画像を生成するとともに、前記第１投影画像の所定エリアに前記符号化情報を合成した合成画像を生成する生成部を更に備え、
前記投影制御部は、前記光源の点灯に基づいて、前記第１投影画像を前記投影部に投影させるとともに、前記合成画像を前記第２周期毎に前記第１周期に基づく時間、前記投影部に投影させる請求項１に記載の投影装置。
【請求項５】
前記端末装置との無線接続が確立されると、前記端末装置から送信される第２投影画像データを取得する第２取得部を更に備え、
前記投影制御部は、前記光源の点灯に基づいて、前記第２投影画像データに基づく第２投影画像を前記投影部に投影させるとともに、前記符号化情報を前記第２周期毎に前記第１周期に基づく時間、前記投影部に投影させる請求項１〜４のいずれか１つに記載の投影装置。
【請求項６】
前記第１周期に基づく時間は、人間による前記符号化情報の意識的な認識が不可能な時間である請求項１〜５のいずれか１つに記載の投影装置。
【請求項７】
前記第１周期に基づく時間は、前記第１周期である請求項６に記載の投影装置。
【請求項８】
投影装置と端末装置とを備える投影システムであって、
前記投影装置は、
第１投影画像データを取得する取得部と、
第１周期で点滅する光源と、
前記光源の点灯に基づいて、前記第１投影画像データに基づく第１投影画像を投影部に投影させるとともに、無線接続を確立するための無線接続情報を符号化した符号化情報を前記第１周期よりも長い第２周期毎に前記第１周期に基づく時間、前記投影部に投影させる投影制御部と、
投影された前記符号化情報を撮像して復号した前記端末装置からの前記無線接続情報に基づく無線接続要求に基づいて、前記端末装置との無線接続を確立する確立部と、を備え、
前記端末装置は、
前記投影された符号化情報を撮像する撮像部と、
前記撮像された符号化情報を前記無線接続情報に復号する復号部と、
前記復号された無線接続情報に基づく前記無線接続要求を前記投影装置に行い、前記投影装置との無線接続を確立する要求部と、を備える投影システム。
【請求項９】
投影装置と端末装置とを備える投影システムで実行される無線接続方法であって、
前記投影装置は、
第１投影画像データを取得する取得ステップと、
第１周期で光源を点滅させる点滅ステップと、
前記光源の点灯に基づいて、前記第１投影画像データに基づく第１投影画像を投影させるとともに、無線接続を確立するための無線接続情報を符号化した符号化情報を前記第１周期よりも長い第２周期毎に前記第１周期に基づく時間投影させる投影制御ステップと、
投影された前記符号化情報を撮像して復号した前記端末装置からの前記無線接続情報に基づく無線接続要求に基づいて、前記端末装置との無線接続を確立する確立ステップと、を含み、
前記端末装置は、
前記投影された符号化情報を撮像する撮像ステップと、
前記撮像された符号化情報を前記無線接続情報に復号する復号ステップと、
前記復号された無線接続情報に基づく前記無線接続要求を前記投影装置に行い、前記投影装置との無線接続を確立する要求ステップと、を含む無線接続方法。
【発明の詳細な説明】
【技術分野】
【０００１】
本発明は、投影装置、投影システム及び無線接続方法に関する。
【背景技術】
【０００２】
従来から、プロジェクタなどの投影装置が、自身との無線ＬＡＮ（Local  Area  Network）接続に必要な無線接続情報をコード化して投影し、携帯端末などの端末装置が、投影されたコードを撮像して無線接続情報を復号し、投影装置との無線ＬＡＮ接続を確立する技術が知られている（例えば、特許文献１参照）。
【発明の概要】
【発明が解決しようとする課題】
【０００３】
しかしながら、上述したような従来技術では、無線接続待機状態の画面として、コードを表示（投影）するため、コードが表示されてから無線接続が確立されるまでの間、投影対象の投影画像を投影することができない。また、コードが表示されてから無線接続が確立されるまでの間、コードが表示されるため、第３者にコードを読み取られてしまうおそれがある。また、投影装置に対するユーザ操作を行わなければ、コードが表示されない。このため、上述したような従来技術では、利便性及び安全性に欠けていた。
【０００４】
本発明は、上記事情に鑑みてなされたものであり、無線接続の自動化に伴う利便性及び安全性を向上させることができる投影装置、投影システム及び無線接続方法を提供することを目的とする。
【課題を解決するための手段】
【０００５】
上述した課題を解決し、目的を達成するために、本発明の一態様にかかる投影装置は、第１投影画像データを取得する第１取得部と、第１周期で点滅する光源と、前記光源の点灯に基づいて、前記第１投影画像データに基づく第１投影画像を投影部に投影させるとともに、無線接続を確立するための無線接続情報を符号化した符号化情報を前記第１周期よりも長い第２周期毎に前記第１周期に基づく時間、前記投影部に投影させる投影制御部と、投影された前記符号化情報を撮像して復号した端末装置からの前記無線接続情報に基づく無線接続要求に基づいて、前記端末装置との無線接続を確立する確立部と、を備える。
【発明の効果】
【０００６】
本発明によれば、無線接続の自動化に伴う利便性及び安全性を向上させることができるという効果を奏する。
【図面の簡単な説明】
【０００７】
【図１】図１は、本実施形態の投影システムの構成の一例を示すブロック図である。
【図２】図２は、本実施形態の投影装置の構成の一例を示すブロック図である。
【図３】図３は、本実施形態の制御部の詳細構成の一例を示すブロック図である。
【図４】図４は、本実施形態の端末装置の構成の一例を示すブロック図である。
【図５】図５は、本実施形態の投影装置で実行される処理の一例を示すシーケンス図である。
【図６】図６は、本実施形態の端末装置で実行される処理の一例を示すシーケンス図である。
【発明を実施するための形態】
【０００８】
以下、添付図面を参照しながら、本発明にかかる投影装置、投影システム及び無線接続方法の実施形態を詳細に説明する。
【０００９】
図１は、本実施形態の投影システム１の構成の一例を示すブロック図である。図１に示すように、投影システム１は、投影装置１０と、端末装置２０と、端末装置３０とを、備える。
【００１０】
投影装置１０は、画像を投影するものであり、例えば、ＤＬＰ（Digital  Light  Processing）プロジェクタなど各種プロジェクタが挙げられる。端末装置２０、３０は、映像信号を分配可能なコンピュータにより実現でき、例えば、タブレット端末、スマートフォン、ノートＰＣ（Personal  Computer）、及び映像再生プレーヤーなどが挙げられる。本実施形態では、端末装置２０がノートＰＣであり、端末装置３０がタブレット端末やスマートフォンなどの撮像装置を内蔵した携帯端末である場合を想定して説明するが、これに限定されるものではない。
【００１１】
投影装置１０と端末装置２０とは、映像ケーブル２で接続されている。映像ケーブル２は、例えば、ＨＤＭＩ（登録商標）（High-Definition  Multimedia  Interface）ケーブルやＤＶＩ（Digital  Visual  Interface）ケーブルなどが挙げられる。但し、投影装置１０と端末装置２０との接続は、映像ケーブル２に限定されず、例えば、有線ＬＡＮ（Local  Area  Network）や無線ＬＡＮなどの通信網を介した接続であってもよい。
【００１２】
また投影装置１０と端末装置３０とは、無線ＬＡＮ３で無線接続可能である。
【００１３】
以下では、映像ケーブル２で端末装置２０と有線接続され、端末装置２０から送信される第１投影画像データに基づく第１投影画像を投影する投影装置１０が、無線ＬＡＮ３による端末装置３０との無線接続に切り替え、端末装置３０から送信される第２投影画像データに基づく第２投影画像を投影する例について説明する。
【００１４】
図２は、本実施形態の投影装置１０の構成の一例を示すブロック図である。図２に示すように、投影装置１０は、操作部１１０と、光源電力供給部１１２と、光源１１４と、映像端子１１６と、無線通信部１１８と、映像信号処理部１２０と、カラーホイール駆動部１２２と、カラーホイール１２４と、ＤＭＤ（Digital  Mirror  Device）駆動部１２６と、ＤＭＤ１２８と、投影レンズ１３０と、制御部１３２とを、を備える。
【００１５】
操作部１１０は、ユーザからの各種操作入力を制御部１３２に通知するものであり、例えば、キースイッチやタッチパネルなどにより実現できる。
【００１６】
光源電力供給部１１２は、制御部１３２の制御に基づき、図示せぬ電源回路から供給される電源を光源１１４に供給する回路である。光源電力供給部１１２が光源１１４に供給する電源の大きさは、制御部１３２により制御される。
【００１７】
光源１１４は、光を照射するものである。光源１１４の光の強さは、光源電力供給部１１２から供給される電源の大きさに依存する。本実施形態では、光源１１４として、光を高速に点滅させることが可能なＬＥＤ（Light  Emitting  Diode）などの固体光源を想定している。また本実施形態では、光源１１４が５０ｍｓｅｃの周期で点滅することを想定している。つまり、光源１１４の点滅周期である第１周期が５０ｍｓｅｃであることを想定している。但し、光源１１４の点滅周期は、これに限定されるものではない。
【００１８】
映像端子１１６には、映像ケーブル２を介して端末装置２０から第１投影画像データの映像信号が入力される。これにより、映像端子１１６は、第１投影画像データを取得する。
【００１９】
無線通信部１１８は、制御部１３２の制御に基づき、無線ＬＡＮ３を介して端末装置３０などの外部装置と無線通信するものであり、例えば、無線ＬＡＮカードなどの無線通信装置により実現できる。
【００２０】
無線通信部１１８は、制御部１３２により、投影装置１０の接続が無線ＬＡＮ３による端末装置３０との無線接続に切り替えられると、端末装置３０から第２投影画像データの映像信号を受信する。つまり、無線通信部１１８は、端末装置３０との無線接続が確立されると、端末装置３０から送信される第２投影画像データを取得する。
【００２１】
映像信号処理部１２０は、映像端子１１６に入力された映像信号や無線通信部１１８により受信され制御部１３２から通知された映像信号に各種映像処理を施すものである。各種映像処理としては、例えば、映像のコントラスト調整、明るさ調整、シャープネス調整、及びスケーリング処理などが挙げられる。なお映像信号処理部１２０は、映像信号処理回路やＧＰＵ（Graphics  Processing  Unit）などにより実現できる。
【００２２】
具体的には、映像信号処理部１２０は、映像端子１１６に入力された第１投影画像データの映像信号に各種映像処理を施し、第１投影画像を生成する。つまり、映像信号処理部１２０は、第１投影画像データから第１投影画像を生成する。
【００２３】
また映像信号処理部１２０は、制御部１３２から、無線接続を確立するための無線接続情報を符号化した符号化情報を取得し、当該符号化情報を表す符号化情報画像を生成する。無線接続情報は、例えば、ＳＳＩＤ（Service  Set  Identifier）、暗号キー種別情報、及びパスワードなどが挙げられる。符号化情報は、コードであり、例えば、ＱＲコード（登録商標）などの２次元コードが挙げられる。
【００２４】
また映像信号処理部１２０は、無線通信部１１８により受信され制御部１３２から通知された第２投影画像データの映像信号に各種映像処理を施し、第２投影画像を生成する。つまり、映像信号処理部１２０は、第２投影画像データから第２投影画像を生成する。
【００２５】
カラーホイール駆動部１２２は、制御部１３２の制御に基づき、カラーホイール１２４を回転駆動させる。カラーホイール１２４は、赤、青、及び緑などの色が配分されたホイールである。
【００２６】
ＤＭＤ駆動部１２６は、制御部１３２の制御に基づき、画素毎に配置されたＤＭＤ１２８のミラーのオン／オフを切り替え、映像信号処理部１２０により生成された第１投影画像、符号化情報画像、及び第２投影画像などをＤＭＤ１２８に表示する。なお本実施形態では、ＤＭＤ１２８のサイズがＷＸＧＡサイズであり、解像度が１２８０×８００であることを想定しているが、これに限定されるものではない。
【００２７】
投影レンズ１３０は、光源１１４から照射され、カラーホイール１２４を透過し、ＤＭＤ１２８で反射された光を、図示せぬスクリーンなどの投影媒体に投影することで、第１投影画像、符号化情報画像、及び第２投影画像などを投影媒体に投影（形成）する。
【００２８】
制御部１３２は、投影装置１０の各部を制御するものであり、例えば、ＣＰＵ（Central  Processing  Unit）、ＲＡＭ（Random  Access  Memory）、及びＲＯＭ（Read  Only  Memory）などを有する制御装置により実現できる。制御部１３２は、操作部１１０からユーザによる電源オン操作が通知されると、図示せぬ電源回路から各部に電源を供給させる。また制御部１３２は、ＲＯＭなどに記憶されている無線接続情報を符号化し、符号化情報を生成する。
【００２９】
図３は、本実施形態の制御部１３２の詳細構成の一例を示すブロック図である。図３に示すように、制御部１３２は、投影制御部１５１と、確立部１５３とを、含む。
【００３０】
投影制御部１５１は、操作部１１０から電源オン操作など投影を指示する操作が行われると、カラーホイール駆動部１２２、カラーホイール１２４、ＤＭＤ駆動部１２６、ＤＭＤ１２８、及び投影レンズ１３０を制御して、光源１１４の点灯に基づいて、第１投影画像を投影させるとともに、符号化情報を第１周期よりも長い第２周期毎に第１周期に基づく時間投影させる。
【００３１】
また投影制御部１５１は、端末装置３０との無線接続が確立されると、カラーホイール駆動部１２２、カラーホイール１２４、ＤＭＤ駆動部１２６、ＤＭＤ１２８、及び投影レンズ１３０を制御して、光源１１４の点灯に基づいて、第２投影画像を投影させるとともに、符号化情報を第１周期よりも長い第２周期毎に第１周期に基づく時間投影させる。
【００３２】
つまり、投影制御部１５１は、端末装置３０との無線接続が確立されると、投影対象の画像を、映像端子１１６に入力される第１投影画像データの映像信号（第１投影画像）から無線通信部１１８により受信される第２投影画像データの映像信号（第２投影画像）に切り替える。
【００３３】
具体的には、投影制御部１５１は、ＤＭＤ駆動部１２６を制御し、映像信号処理部１２０により生成された第１投影画像又は第２投影画像をＤＭＤ１２８に表示させる。但し、本実施形態では、投影制御部１５１は、ＤＭＤ駆動部１２６を制御し、映像信号処理部１２０により生成された符号化情報画像を、第１周期よりも長い第２周期毎に第１周期に基づく時間ＤＭＤ１２８に表示させる。つまり、投影制御部１５１は、第１投影画像又は第２投影画像の表示を、第１周期に基づく時間、符号化情報画像の表示に切り替えるという制御を、第２周期毎に繰り返す。
【００３４】
第２周期は、第１周期よりも長い周期であればよく、例えば、１０００ｍｓｅｃなどとすることができるが、これに限定されるものではない。第１周期に基づく時間は、例えば、第１周期、即ち、５０ｍｓｅｃとすることができるが、これに限定されず、人間による符号化情報の意識的な認識が不可能な時間であればよい。
【００３５】
これにより、光源１１４の点灯に基づいて、第１投影画像又は第２投影画像が投影されるとともに、符号化情報画像（符号化情報）が第２周期毎に第１周期に基づく時間投影される。
【００３６】
確立部１５３は、投影された符号化情報を撮像して復号した端末装置３０からの無線接続情報に基づく無線接続要求に基づいて、端末装置３０との無線接続を確立する。
【００３７】
具体的には、確立部１５３は、端末装置３０との間で、無線ＬＡＮ３のアクセスポイント経由でのインフラストラクチャー接続による無線接続を確立するため、無線ＬＡＮ３のアクセスポイントのＳＳＩＤの設定、無線通信データ（第２投影画像）を暗号化するための暗号キーの設定、及びパスワードの設定などを行う。暗号キーとしては、例えば、ＷＥＰ（Wired  Equivalent  Privacy）、ＷＰＡ（Wi-Fi  Protected  Access）、ＷＰＡ２（Wi-Fi  Protected  Access  2）などが挙げられる。
【００３８】
なお、映像端子１１６は、第１取得部の一例であり、無線通信部１１８は、第２取得部の一例であり、映像信号処理部１２０は、生成部の一例であり、カラーホイール駆動部１２２、カラーホイール１２４、ＤＭＤ駆動部１２６、ＤＭＤ１２８、及び投影レンズ１３０は、投影部の一例である。但し、投影装置１０と端末装置２０とが映像ケーブル２ではなく、通信網を介して接続されているのであれば、無線通信部１１８は、第１取得部の一例ともなる。
【００３９】
図４は、本実施形態の端末装置３０の構成の一例を示すブロック図である。図４に示すように、端末装置３０は、無線通信部３１０と、撮像部３２０と、操作部３３０と、表示部３４０と、記憶部３５０と、制御部３６０とを、備える。
【００４０】
無線通信部３１０は、制御部３６０の制御に基づき、無線ＬＡＮ３を介して投影装置１０などの外部装置と無線通信するものであり、例えば、無線ＬＡＮカードなどの無線通信装置により実現できる。
【００４１】
撮像部３２０は、投影装置１０により投影された符号化情報（符号化情報画像）を撮像するものであり、例えば、可視光カメラなどにより実現できる。
【００４２】
操作部３３０は、各種操作の入力を行うものであり、タッチパネルなどの入力装置により実現できる。
【００４３】
表示部３４０は、各種画面を表示するものであり、液晶ディスプレイ及びタッチパネル式ディスプレイなどの表示装置により実現できる。
【００４４】
記憶部３５０は、端末装置３０で実行される各種プログラム、及び端末装置３０で行われる各種処理に使用されるデータなどを記憶する。記憶部３５０は、例えば、ＨＤＤ（Hard  Disk  Drive）、ＳＳＤ（Solid  State  Drive）、メモリカード、光ディスク、ＲＡＭ、及びＲＯＭなどの磁気的、光学的、及び電気的に記憶可能な記憶装置の少なくともいずれかにより実現できる。
【００４５】
制御部３６０は、端末装置３０の各部を制御するものであり、ＣＰＵなどの制御装置により実現できる。制御部３６０は、復号部３６１と、要求部３６３と、送信部３６５とを、含む。
【００４６】
復号部３６１は、撮像部３２０により撮像された符号化情報を無線接続情報に復号する。
【００４７】
要求部３６３は、復号部３６１により復号された無線接続情報に基づく無線接続要求を投影装置１０に行い、投影装置１０との無線接続を確立する。
【００４８】
具体的には、要求部３６３は、投影装置１０との間で、無線ＬＡＮ３のアクセスポイント経由でのインフラストラクチャー接続による無線接続を確立するため、無線ＬＡＮ３のアクセスポイントのＳＳＩＤの設定、無線通信データ（第２投影画像データ）を暗号化するための暗号キーの設定、及びパスワードの設定などを行う。
【００４９】
送信部３６５は、要求部３６３により投影装置１０との無線接続が確立されると、無線通信部３１０を制御して、無線ＬＡＮ３を介して第２投影画像データを投影装置１０に無線送信する。
【００５０】
図５は、本実施形態の投影装置１０で実行される処理の一例を示すシーケンス図である。
【００５１】
まず、映像信号処理部１２０は、制御部１３２から、符号化情報を取得し、符号化情報画像を生成する（ステップＳ１０１）。
【００５２】
続いて、投影画像データが取得される（ステップＳ１０３）。最初は、映像端子１１６が、端末装置２０から映像ケーブル２を介して第１投影画像データを取得する。
【００５３】
続いて、映像信号処理部１２０は、投影画像データから投影画像を生成する（ステップＳ１０５）。最初は、第１投影画像データから第１投影画像が生成される。
【００５４】
続いて、投影制御部１５１は、カラーホイール駆動部１２２、カラーホイール１２４、ＤＭＤ駆動部１２６、ＤＭＤ１２８、及び投影レンズ１３０を制御して、光源１１４の点灯に基づいて、投影画像を投影させる（ステップＳ１０７）。最初は、第１投影画像が投影される。
【００５５】
続いて、確立部１５３は、投影された符号化情報を撮像して復号した端末装置３０からの無線接続情報に基づく無線接続要求があるか否かを確認する（ステップＳ１０９）。
【００５６】
無線接続要求がなければ（ステップＳ１０９でＮｏ）、投影制御部１５１は、操作部１１０からの投影終了操作があるか否かを確認する（ステップＳ１１１）。
【００５７】
投影終了操作があれば（ステップＳ１１１でＹｅｓ）、投影制御部１５１は、投影を終了し、投影終了操作がなければ（ステップＳ１１１でＮｏ）、投影制御部１５１は、第２周期か否かを確認する（ステップＳ１１３）。
【００５８】
第２周期であれば（ステップＳ１１３でＹｅｓ）、投影制御部１５１は、カラーホイール駆動部１２２、カラーホイール１２４、ＤＭＤ駆動部１２６、ＤＭＤ１２８、及び投影レンズ１３０を制御して、光源１１４の点灯に基づいて、符号化情報画像を第１周期に基づく時間投影させ（ステップＳ１１５）、ステップＳ１０７へ戻る。なお、第２周期でなければ（ステップＳ１１３でＮｏ）、ステップＳ１１５の処理を行わずに、ステップＳ１０７へ戻る。
【００５９】
一方、ステップＳ１０９で無線接続要求があれば（ステップＳ１０９でＹｅｓ）、確立部１５３は、端末装置３０との無線接続を確立し（ステップＳ１１７）、ステップＳ１０３へ戻る。
【００６０】
この後、ステップＳ１０３では、無線通信部１１８が、端末装置３０から無線ＬＡＮ３を介して第２投影画像データを取得し、ステップＳ１０５では、第２投影画像データから第２投影画像が生成され、ステップＳ１０７では、第２投影画像が投影される。
【００６１】
図６は、本実施形態の端末装置３０で実行される処理の一例を示すシーケンス図である。
【００６２】
まず、撮像部３２０は、投影装置１０により投影された符号化情報画像を撮像する（ステップＳ２０１）。
【００６３】
続いて、復号部３６１は、撮像部３２０により撮像された符号化情報を無線接続情報に復号する（ステップＳ２０３）。
【００６４】
続いて、要求部３６３は、復号部３６１により復号された無線接続情報に基づく無線接続要求を投影装置１０に行い（ステップＳ２０５）、投影装置１０との無線接続を確立する（ステップＳ２０７）。
【００６５】
続いて、送信部３６５は、無線通信部３１０を制御して、無線ＬＡＮ３を介して第２投影画像データを投影装置１０に無線送信する（ステップＳ２０９）。
【００６６】
送信部３６５は、投影装置１０による投影が終了されなければ（ステップＳ２１１でＮｏ）、ステップＳ２０９の処理を繰り返し、投影装置１０による投影が終了されれば（ステップＳ２１１でＹｅｓ）、第２投影画像データの送信を終了する。
【００６７】
以上のように本実施形態では、投影画像を投影している合間に無線接続情報を符号化した符号化情報を投影するので、投影画像の投影を中断せずに符号化情報を投影できる。また本実施形態では、投影画像の投影が開始されると、符号化情報の投影も自動的に開始されるので、符号化情報を投影するためのユーザ操作も必要としない。
【００６８】
このため、端末装置３０を所持するユーザは、投影画像が投影されている最中に、投影媒体に定期的に投影される符号化情報を端末装置３０で撮像するだけで、投影装置１０と端末装置３０との無線接続を確立し、投影装置１０の投影を端末装置３０に基づく投影に切り替えることができ、無線接続の自動化に伴う利便性を向上させることができる。
【００６９】
また本実施形態では、投影画像の投影中に、人間が視認できないように符号化情報を投影するため、第３者は符号化情報が投影されていることを認識できず、第３者による符号化情報の読み取りを防止できる。このため、無線接続の自動化に伴う安全性を向上させることができる。
【００７０】
なお、本実施形態の投影装置１０及び端末装置３０で実行されるプログラムは、インストール可能な形式又は実行可能な形式のファイルでＣＤ−ＲＯＭ、ＣＤ−Ｒ、メモリカード、ＤＶＤ、フレキシブルディスク（ＦＤ）等のコンピュータで読み取り可能な記憶媒体に記憶されて提供される。
【００７１】
また、本実施形態の投影装置１０及び端末装置３０で実行されるプログラムを、インターネット等のネットワークに接続されたコンピュータ上に格納し、ネットワーク経由でダウンロードさせることにより提供するようにしてもよい。また、本実施形態の投影装置１０及び端末装置３０で実行されるプログラムを、インターネット等のネットワーク経由で提供または配布するようにしてもよい。また、本実施形態の投影装置１０及び端末装置３０で実行されるプログラムを、ＲＯＭ等に予め組み込んで提供するようにしてもよい。
【００７２】
本実施形態の投影装置１０及び端末装置３０で実行されるプログラムは、上述した各部をコンピュータ上で実現させるためのモジュール構成となっている。実際のハードウェアとしては、ＣＰＵがＲＯＭからプログラムをＲＡＭ上に読み出して実行することにより、上記各部がコンピュータ上で実現されるようになっている。
【００７３】
（変形例）
なお、本発明は、上記実施形態に限定されるものではなく、種々の変形が可能である。
【００７４】
（変形例１）
上記実施形態では、符号化情報を符号化情報画像の全面で表すこと、即ち、符号化情報をＤＭＤ１２８の全面に表示することを想定して説明したが、これに限定されず、符号化情報を符号化情報画像の所定領域、即ち、符号化情報をＤＭＤ１２８の所定領域に表示するようにしてもよい。なお、符号化情報画像の所定領域は、投影媒体のうち歪みが生じていない部分に投影されるものとする。
【００７５】
符号化情報を符号化情報画像の全面で表す場合、投影媒体の一部が歪んでいると、投影媒体に投影された符号化情報も歪み、端末装置３０が撮像した符号化情報も歪むため、無線接続情報の復号に失敗する可能性がある。しかし、変形例１の手法によれば、投影媒体に投影された符号化情報に歪みが生じず、端末装置３０が撮像した符号化情報にも歪みが生じないため、無線接続情報の復号に失敗する可能性を低減できる。
【００７６】
（変形例２）
上記実施形態において、符号化情報画像の代わりに、符号化情報を投影画像の所定エリアに合成した合成画像を用いるようにしてもよい。この場合、映像信号処理部１２０は、符号化情報を投影画像の所定エリアに合成した合成画像を生成し、投影制御部１５１は、映像信号処理部１２０により生成された合成画像を、第２周期毎に第１周期に基づく時間ＤＭＤ１２８に表示させればよい。
【符号の説明】
【００７７】
１  投影システム
２  映像ケーブル
３  無線ＬＡＮ
１０  投影装置
２０  端末装置
３０  端末装置
１１０  操作部
１１２  光源電力供給部
１１４  光源
１１６  映像端子
１１８  無線通信部
１２０  映像信号処理部
１２２  カラーホイール駆動部
１２４  カラーホイール
１２６  ＤＭＤ駆動部
１２８  ＤＭＤ
１３０  投影レンズ
１３２  制御部
１５１  投影制御部
１５３  確立部
３１０  無線通信部
３２０  撮像部
３３０  操作部
３４０  表示部
３５０  記憶部
３６０  制御部
３６１  復号部
３６３  要求部
３６５  送信部
【先行技術文献】
【特許文献】
【００７８】
【特許文献１】特開２００７−３１２１７９号公報
【図１】
2015158596.tif 000003
【図２】
2015158596.tif 000004
【図３】
2015158596.tif 000005
【図４】
2015158596.tif 000006
【図５】
2015158596.tif 000007
【図６】
2015158596.tif 000008